(57)【要約】【課題】格別の加工精度を要することなく、不正開封状態が一見で分かり、かつ、使用後の廃棄に際しては、手指で容器から簡単に取り外すことができる、不正開封防止・分別廃棄機能を有したプラスチックキャップを提供する。【解決手段】容器の口部に打栓すると共に注出筒及び分別廃棄機構を有するキャップ本体と、このキャップ本体に螺脱着する上蓋と、この上蓋との間にタンパーエビデント機構を介在させたバンドとからなり、このタンパーエビデント機構は、上蓋とその下方のバンドとを易破断性のつなぎリブにて接続し、上蓋及びバンドにストッパーを設けて螺着方向に同調回転させ、且つキャップ本体及びバンドにラチェットを設けて、キャップ本体を口部に打栓した際の拡径により、キャップ本体側ラチェットがバンド側ラチェットにラップし、更につなぎリブ破断後のバンドが落下スペースに落ちて、不正開封防止・分別廃棄機能を達成出来る。【選択図】      図１
2004276958.tif 000002
【特許請求の範囲】
【請求項１】
容器の口部に打栓すると共に天板に注出筒を有するキャップ本体と、該キャップ本体に螺脱着する上蓋と、該上蓋との間にタンパーエビデント機構を介在させてなるバンドとからなり、前記タンパーエビデント機構は、前記上蓋とその下方のバンドとを易破断性のつなぎリブにて接続すると共に、前記上蓋及び前記バンドにストッパーを設けてこれらを螺着方向に同調回転させ、且つ前記キャップ本体の外周面及び前記バンドの内周面にラチェットを設けて、前記キャップ本体を前記口部に打栓した際の拡径により、キャップ本体側ラチェットがバンド側ラチェットにラップするように設定し、更に前記つなぎリブ破断後の前記バンドの落下スペースを前記キャップ本体周辺に確保したことを特徴とするプラスチックキャップ。
【請求項２】
前記バンドの上面に、易破断性の前記つなぎリブを防護するラックを、前記上蓋とわずかな隙間をあけて設けた請求項１記載のプラスチックキャップ。
【請求項３】
前記キャップ本体は、前記上蓋と螺脱着するリング壁及びそれに連なるスカート部にかけて直線状脆弱部を設けるとともに、前記リング壁の内側下端と前記天板との境目に円周状脆弱部を設け、前記直線状脆弱部及び前記円周状脆弱部の破断により、前記容器の口部から前記キャップ本体を分離可能にした請求項１または２記載のプラスチックキャップ。
【請求項４】
前記キャップ本体の前記リング壁に切取ツマミを前記直線状脆弱部に隣接して設けてある請求項１ないし３のいずれか１項記載のプラスチックキャップ。
【請求項５】
前記キャップ本体内周に回り止めを設けるとともに、前記キャップ本体に前記上蓋を螺着し、前記バンドを装着する際の前記キャップ本体の連れ回りを防ぐようにした請求項１ないし４のいずれか１項記載のプラスチックキャップ。
【発明の詳細な説明】
【０００１】
【発明の属する技術分野】
本発明は、食用油、飲料や調味料などを収容する容器の口部に打栓して使用するプラスチックキャップに関し、詳しくは、キャップ本体と、これに螺脱着する上蓋と、これとの間にタンパーエビデント機構を介在させたバンドとからなり、不正開封時に上記バンドが下方スペースに落下するようにし、不正開封を一目で判断できるようにし、かつ、容器からキャップの分離を容易にし、分別廃棄性を高めたプラスチックキャップに関する。
【０００２】
【従来の技術】
プラスチックキャップは、食用油、飲料や調味料などを収容する容器に多く使用され、その多くは、主に製作上及び素材コストの面から、容器と異なった材質のものが使用されている。そして、このプラスチックキャップは、容器の口部に打栓して液密とし、更に容易に外れないようにして液密状態を維持する。その上に、このプラスチックキャップは、タンパーエビデント機構を備えて、上蓋を開封するとその事実が残り、各種のいたずらを防止できるものが大半である。このプラスチックキャップの一般的な形状として、下記のものが知られている。
【０００３】
【特許文献１】特開２００２−２４９１５１号公報
特許文献１によれば、プラスチックキャップは、容器の口部に打栓すると共に天板に注出筒を有するキャップ本体と、該キャップ本体に螺脱着して注出筒を開閉する上蓋とからなり、キャップ本体に組付き筒の外周面中央に第１係止部を下端に引掛突片をそれぞれ形成し、上蓋の破断片を介して一体に設けた係止筒に第１係止部に下方から強く係止し、引掛突片に上方から弱く係止する第２係止部を設け、容器の口部へのキャップ本体の組み付き強度を、人手によるもぎ取り状の取り外しができる程度となるように、設定したものである。これにより、構造が簡単であるのに、容器の口部からプラスチックキャップを人手によるもぎ取りができて、分別廃棄でき、且つ上蓋を螺脱すると破断片を破断し一体に設けた係止筒が落下し、いたずらを防止できるとしている。
【０００４】
【特許文献２】特開平１１−１８９２５３号公報
特許文献２によれば、プラスチックキャップは、注出筒を有するキャップ本体の、容器の口部に外嵌してアンダーカット結合する外筒に割り溝を設け、キャップ本体に螺合する上蓋に破断片を介して一体に設けた組付き補助体の締付筒を外筒に外嵌させ、外筒の口筒に対する装着に伴う拡径変形により、外筒が締付筒を強圧するものとし、破断片の破断により不正開封防止機能を、締付筒の離脱により分別廃棄機能を発揮するものとしている。
【０００５】
【特許文献３】特開平１１−１３０１１３号公報
特許文献３によれば、プラスチックキャップは、キャップ本体のスカート部の外面に第１ラチェットが形成され、且つスカート部の下端には水平フランジ部が形成されていて、上蓋の筒状側壁部内面にキャップ本体を螺着するための螺条を備え、筒状側壁部下端に破断可能なブリッジ部を介して環状バンドが設けられ、この環状バンド内面に第２ラチェットが形成され、キャップ本体に上蓋を螺着させた状態でスカート部の外面の全周が環状バンドにて覆われ、且つ第１ラチェットと第２ラチェットとは、環状バンドの閉栓方向への回転は許容するが、開栓方向の回転を制限する関係で形成されている。これにより、上蓋と環状バンドとの分離の事実により不正開封防止機能を有し、キャップ本体のスカート部の環状バンドによる保護によって、スカート部を薄くし撓み易くして、環状バンドの除去後の容器の口部からのキャップ本体の除去を容易にして分別廃棄機能を発揮するものとしている。
【０００６】
【特許文献４】実開平７−３１６４３号公報
【特許文献５】特開２００１−１１４３２５号公報
また、一見して不正開封したことが分かるようにしたキャップとして、実開平７−３１６４３号公報が知られており、使用後のキャップの分離を容易にし、分別廃棄機能を持たせたキャップとして、本出願人による特開２００１−１１４３２５号公報がある。
【０００７】
【発明が解決しようとする課題】
特許文献１のプラスチックキャップは、不正開封が一見して分かるが、容器の口部からキャップ本体を手指のみで取り外すには、組付き筒の肉厚ばかりか材質面、製造面での均一化が常時適切に行われなければならず、この特許文献１の図３の二点鎖線に明示の通り、身近な硬質物の先端部を組付き筒下端と容器の口部のネックリングとの間に差し込み、テコの原理を利用して、組付き筒を拡径方向にこじ開けるようにして、容器の口部からキャップ本体を取り外す必要があり、手指のみで分別廃棄するのは困難である。
【０００８】
特許文献２のプラスチックキャップは、組付き補助体の締付筒が邪魔をして不正開封が一見して分からず、更に、分別廃棄に際し、キャップ本体に強固に外嵌している上記の締付筒を強引に引き上げなければならず、また、締付筒がキャップ本体に螺着している場合でも、容器の口部にキャップ本体を打栓する際に生じる拡径作用を利用して、キャップ本体に締付筒を強固に組み付けるようにしているから、キャップ本体から締付筒を螺脱するのは容易ではなく、手指にて分別廃棄するのは困難である。
【０００９】
特許文献３のプラスチックキャップは、キャップ本体のスカート部の下端にある水平フランジ部が邪魔をして、不正開封が一見して分からず、加えて第１ラチェット及び第２ラチェットの加工精度が高くなるため作りづらく、更に、分別廃棄に際し、容器の口部にキャップ本体を打栓する際に生じる拡径作用を利用して、キャップ本体に密着している上記の環状バンドを取り外さなければならないため、手指にて簡単に分別廃棄することは困難である。
【００１０】
特許文献４のプラスチックキャップは、不正開封が一見して分かるが、分別廃棄機能については記載が無いものであり、特許文献５の本出願人のプラスチックキャップは、逆に手指にて分別廃棄することができるが、不正開封機能については記載が無いものである。
【００１１】
そこで、本発明の目的は、特に加工精度を要することなく、不正開封が一見して分かり、かつ手指にて容器から容易に取り外すことができる不正開封防止及び分別廃棄の双方の機能を有するプラスチックキャップを提供することにある。
【００１２】
【課題を解決するための手段】
本発明は、上記目的を達成するために提案されたものであって、下記の構成からなることを特徴とするものである。
すなわち、本発明によれば、容器の口部に打栓すると共に天板に注出筒を有するキャップ本体と、該キャップ本体に螺脱着する上蓋と、該上蓋との間にタンパーエビデント機構を介在させてなるバンドとからなり、前記タンパーエビデント機構は、前記上蓋とその下方のバンドとを易破断性のつなぎリブにて接続すると共に、前記上蓋及び前記バンドにストッパーを設けてこれらを螺着方向に同調回転させ、且つ前記キャップ本体の外周面及び前記バンドの内周面にラチェットを設けて、前記キャップ本体を前記口部に打栓した際の拡径により、キャップ本体側ラチェットがバンド側ラチェットにラップするように設定し、更に前記つなぎリブ破断後の前記バンドの落下スペースを前記キャップ本体周辺に確保したことを特徴とするプラスチックキャップが提供される。
【００１３】
また、本発明によれば、前記バンドの上面に、易破断性の前記つなぎリブを防護するラックを、前記上蓋とわずかな隙間をあけて設けた上記プラスチックキャップが提供される。
【００１４】
また、本発明によれば、前記キャップ本体は、前記上蓋と螺脱着するリング壁及びそれに連なるスカート部にかけて直線状脆弱部を設けるとともに、前記リング壁の内側下端と前記天板との境目に円周状脆弱部を設け、前記直線状脆弱部及び前記円周状脆弱部の破断により、前記容器の口部から前記キャップ本体を分離可能にした上記プラスチックキャップが提供される。
【００１５】
また、本発明によれば、前記キャップ本体の前記リング壁に切取ツマミを前記直線状脆弱部に隣接して設けてある上記プラスチックキャップが提供される。
【００１６】
また、本発明によれば、前記キャップ本体内周に回り止めを設けるとともに、前記キャップ本体に前記上蓋を螺着し、前記バンドを装着する際の前記キャップ本体の連れ回りを防ぐようにした上記プラスチックキャップが提供される。
【００１７】
【発明の実施の形態】
以下に、図面を参照して本発明の実施の形態を説明する。
図１は本発明の実施の形態を示すプラスチックキャップの断面図、図２は同プラスチックキャップのキャップ本体の側面図、図３は同プラスチックキャップの上蓋の側面図である。図３のＩＩ−ＩＩ  線断面を図６に示した。
図面において、プラスチックキャップ１は、容器２の口部３に打栓すると共に天板４に注出筒５を有するキャップ本体６と、このキャップ本体６に螺脱着する上蓋７と、この上蓋７との間にタンパーエビデント機構８を介在させてなるバンド９とからなり、このタンパーエビデント機構８は、上蓋７とその下方のバンド９とを易破断性のつなぎリブ１０にて接続すると共に、上蓋７及びバンド９にストッパー１１を設けてこれらを螺着方向に同調回転させ、且つキャップ本体６の外周面及びバンド９の内周面にラチェット１２及び１３を設けて、キャップ本体６を容器２の口部３に打栓した際の拡径により、キャップ本体側ラチェット１２がバンド側ラチェット１３にラップするように設定し、更につなぎリブ１０破断後のバンド９の落下スペース１４をキャップ本体６周辺に確保してある。
【００１８】
前記容器２は、その口部３に上記のプラスチックキャップ１を打栓できるものであれば特に限定がなく、どのようなタイプであってもよく、材質も特に限定されるものではない。この実施の形態では、食用油、調味料などで頻繁に利用される、上蓋７による開閉栓が比較的多く行われるようなボトルタイプのプラスチック製の容器を想定している。
【００１９】
前記プラスチックキャップ１は、通常、容器２とは異なる材質のプラスチック製のものであり、キャップ本体６とこれに螺脱着する上蓋７と、これらとの間にタンパーエビデント機構８を介在させてなるバンド９とからなり、キャップ本体６は下部にインナーリング２０及びスカート部２１があり、これらの開口２２に容器２の口部３をあてがい打栓することで液密とする。そして、キャップ本体６の天板４上の縁部にリング壁２３が立設し、このリング壁２３に上蓋７を螺脱着するようになっている。更に、この天板４上に前記注出筒５を備え、この注出筒５の底に位置する天板４に注出孔スコアー２４を設け、この注出孔スコアー２４にて囲っている天板４にプルリング２５を取り付けてある。したがって、このプルリング２５に手指を掛け引っ張れば、注出孔スコアー２４を破断でき開封することができて、容器２の内容物を注出筒５から注ぎ出すことができる。
【００２０】
このキャップ本体６には、好ましくは分別廃棄機能が備わり、この分別廃棄機能は、図２、４、５に示すように、上蓋７と螺脱着する前記リング壁２３及びそれに連なる前記スカート部２１にかけて直線状脆弱部２６を設けるとともに、リング壁２３の内側下端と前記天板４との境目に周状脆弱部２７を設けてあって、更に直線状脆弱部２６に隣接したリング壁２３に切取ツマミ２８を設けることによって実現できる。すなわち、この切取ツマミ２８によりこれらの直線状脆弱部２６及び円周状脆弱部２７を破断して、前記容器２の口部３からキャップ本体６を分離できるようになっている。直線状脆弱部２６は内側のスコアー２９と外側の幅広の凹溝３０とで形成され、円周状脆弱部２７は、直線状脆弱部２６から円周方向に設けた引裂孔３１とこれに続く天板スコアー３２とをほぼ半周にわたり設置されることで、構成されている。
【００２１】
なお、直線状脆弱部２６は内側のスコアー２９のみで形成することも可能であるが、外側の幅広の凹溝３０があることにより、従来の分別廃棄機能がないものとの判別が明確且つ容易となる。また、円周状脆弱部２７は天板スコアー３２を更に延長して全周としても差し支えない。更に、図２中３３は切欠であり、この切欠３３は切取ツマミ２８をつまみ易くして、容器２の口部３からキャップ本体６を分離し易くしている。
【００２２】
前記上蓋７は、天板４０とその周縁に続く円筒壁４１とで形成され、天板４０内面にインナーリング４２が設けられ、前記キャップ本体６の注出筒５に液密に内嵌して内容物の漏れを防ぎ、円筒壁４１の外周にすべり止め４３が設けられ、キャップ本体６と螺脱着し易くなっている。この上蓋７は、その下方の前記バンド９に前記タンパーエビデント機構８の４本の前記つなぎリブ１０にて接続して一体状態となっている。バンド９はリング状をなし、キャップ本体６のスカート部２１を覆う位置にある。
【００２３】
これら上蓋７及びその下方のバンド９にはタンパーエビデント機構８が介在する。このタンパーエビデント機構８は以下の通りである。まず、このバンド９と一体構成の上蓋７をキャップ本体６に螺着する必要があり、その際つなぎリブ１０を破断しないように、上蓋７の下端面及びバンド９の上端面に前記ストッパー１１を設けている。このため、キャップ本体６に上記の上蓋７を螺着する際、すなわち、上蓋７を時計方向に回すとストッパー１１同士が当たり、つなぎリブ１０に負荷をかけず破断することなく螺着できる。
【００２４】
しかしながら、キャップ本体６から上蓋７を螺脱する際、バンド９はキャップ本体６側に残り上蓋７だけを螺脱する必要があるから、バンド９の内周面にバンド側ラチェット１３を設け、キャップ本体６の外周面にキャップ本体側ラチェット１２を設けている。両ラチェット１３及び１２の位置関係は、図７に示すように、キャップ本体６にバンド９と一体構成の上蓋７を螺着した状態ではラップせず（螺着に支障なければ僅かにラップしてもよい）、８に示すように、キャップ本体６を容器２の口部３に打栓した際のキャップ本体６の拡径により、キャップ本体側ラチェット１２も外側に膨らみ、バンド側ラチェット１３にＨ寸法だけラップするように設定している。
【００２５】
すなわち、バンド９と一体構成の上蓋７は先にキャップ本体６に螺着した後、その状態で容器２の口部３に打栓するから、その際のキャップ本体６の拡径によるキャップ本体側ラチェット１２の外側への膨らみを利用することが可能となる。したがって、キャップ本体６から上蓋７を螺脱すると（図９中矢線方向、すなわち反時計方向に回すと）、キャップ本体側ラチェット１２とバンド側ラチェット１３とがＨ寸法だけラップしているから、図９で明らかなとおり、バンド側ラチェット１３はキャップ本体側ラチェット１２を乗り越えることは出来ず、バンド９は動かなくなりつなぎリブ１０が破断することになる。そして、破断後のバンド９は、キャップ本体側ラチェット１２とバンド９上部の庇部分とが当たるまでｈ寸法だけ落下スペース１４へ落下するため、不正開封の事実が一目で明確に判明する。
【００２６】
なお、バンド９上面に数カ所のラック４４を上蓋７とわずかな間隔をあけて設け、バンド９と上蓋７との一体構成品状態、更にこれらをキャップ本体６に螺着した状態、並びに容器２の口部３に打栓状態のでのつなぎリブ１０の破断を防止し、特に垂直方向の外力に対してラック４４にて支持して、つなぎリブ１０に外力が加わらないようにしている。図１、５中の４５はキャップ本体６に設けた回り止めであり、キャップ本体６にバンド９と一体構成の上蓋７を螺着する際、バンド９及び上蓋７によりキャップ本体６を覆いつくすことになり固定しずらいから、この回り止め４５に冶具をあてるなどして、キャップ本体６の連れ回りを防いで、スムーズにキャップ本体６に一体構成の上蓋７を螺着出来るようにしている。
【００２７】
次に、上記構成になるプラスチックキャップ１の利用方法について説明する。まず、内容物に適合した容器２並びにこれに適合するプラスチックキャップ１を構成するキャップ本体６及びバンド９と一体の上蓋７を選択する。次に、予めキャップ本体６にバンド９と一体の上蓋７を螺着しておく。すなわち、キャップ本体６の回り止め４５に冶具をあてるなどし、リング壁２３にバンド９と一体の上蓋７をあてがい、上蓋７を時計方向に回すと上蓋７及びバンド９のストッパー１１同士が直ぐに当たり、回り止め４５によりキャップ本体６が連れ回りせず、つなぎリブ１０に負荷をかけずにキャップ本体６に螺着できる。そして、容器２内に内容物を充填し、プラスチックキャップ１のキャップ本体６のインナーリング２０及びスカート部２１の間の開口２２に容器２の口部３をあてがい打栓することで、容器２内を液密として、必要に応じて包装して最終製品とする。
【００２８】
最終製品の消費に際しては、少なくともプラスチックキャップ１の部分を裸出し、上蓋７のすべり止め４３を利用して手指にてキャップ本体６から上蓋７を螺脱、すなわち反時計方向に回すと、キャップ本体側ラチェット１２とバンド側ラチェット１３とがＨ寸法だけラップしているからバンド９は動かず、なおも上蓋７を反時計方向に回すと、つなぎリブ１０が破断して上蓋７を螺脱出来、内容物を容器２内から取り出すことが出来る。容器２に内容物が残留していれば再び口部３に上蓋７を螺着することができ、保存が容易となる。一方、破断後のバンド９は落下スペース１４に落下しているから、もし上記した螺脱が不正開封であれば、正当開封者はバンド９が落下スペース１４に落下していることを目視することにより、不正開封の事実を直ぐにしかも明確に認識でき、危険を容易に回避できる。
【００２９】
容器２内の内容物を使い切ったら、図１０に示すように、容器２と異材質のプラスチックキャップ１とを分別廃棄すべく、口部３から上蓋７を外したままで、バンド９を上方へ抜いて外した後、切取ツマミ２８をつかみ直線状脆弱部２６を破断して、キャップ本体６のリング壁２３及び前記スカート部２１を切断する。更にキャップ本体６の円周状脆弱部２７を破断して行くと、リング壁２３及びスカート部２１と、天板４を介して接続している注出筒５及びインナーリング２０とに分割出来、容器２の口部３からキャップ本体６を完全に分離できる。したがって、特に、用具を使うことなく手指のみで、容器２の口部３から上蓋６は無論、キャップ本体６並びにこれに遊嵌しているバンド９を外すことが出来て、分別廃棄の実を上げることが出来る。
【００３０】
以上、本発明の実施形態を説明したが、具体的な構成はこれに限定されず、本発明の要旨を逸脱しない範囲での変更は適宜可能であることは理解されるべきである。
【００３１】
【発明の効果】
以上詳述したように、本発明によれば、容器の口部にキャップ本体を打栓した際の拡径を利用して、キャップ本体側ラチェットをバンド側ラチェットにラップさせ、打栓前のキャップ本体に上蓋をスムーズに螺着出来、打栓後のキャップ本体から上蓋を螺脱するとタンパーエビデント機構が働き、つなぎリブを破断しバンドが落下スペースに落ちる。したがって、タンパーエビデント機構の加工精度が低くても良く、その上に不正開封が一見して分かる効果がある。
また、本発明によれば、バンドの上面に設けたラックにより、外力を支持し易破断性のつなぎリブを防護出来るため、保管などでタンパーエビデント機構が損なわれることがほとんどなくなる。
さらに、直線状脆弱部及び円周状脆弱部を破断して、容器の口部からキャップ本体を分離し、容器とキャップ本体とを簡単に分別廃棄することができる。
【図面の簡単な説明】
【図１】本発明の実施の形態を示すプラスチックキャップの断面図である。
【図２】同上プラスチックキャップのキャップ本体の側面図である。
【図３】同上プラスチックキャップの上蓋の側面図である。
【図４】同上プラスチックキャップのキャップ本体の平面図である。
【図５】同上プラスチックキャップのキャップ本体の裏面図である。
【図６】図３のＩＩ−ＩＩ  線に沿う断面図である。
【図７】同上プラスチックキャップの半裁断面図である。
【図８】同上プラスチックキャップを容器の口部に打線した状態の半裁断面図である。
【図９】同上プラスチックキャップの両ラチェットの配置状態の断面図である。
【図１０】同上プラスチックキャップの分別廃棄状態の側面図である。
【符号の説明】
１                        プラスチックキャップ
２                        容器
３                        口部
４，４０                  天板
５                        注出筒
６                        キャップ本体
７                        上蓋
８                        タンパーエビデント機構
９                        バンド
１０                      つなぎリブ
１１                      ストッパー
１２                      キャップ本体側ラチェット
１３                      バンド側ラチェット
１４                      落下スペース
２０，４２                インナーリング
２１                      スカート部
２２                      開口
２３                      リング壁
２４                      注出孔スコアー
２５                      プルリング
２６                      直線状脆弱部
２７                      周状脆弱部
２８                      切取ツマミ
２９                      スコアー
３０                      凹溝
３１                      引裂孔
３２                      天板スコアー
３３                      切欠
４１                      円筒壁
４３                      すべり止め
４４                      ラック
４５                      回り止め
【図１】
2004276958.tif 000003
【図２】
2004276958.tif 000004
【図３】
2004276958.tif 000005
【図４】
2004276958.tif 000006
【図５】
2004276958.tif 000007
【図６】
2004276958.tif 000008
【図７】
2004276958.tif 000009
【図８】
2004276958.tif 000010
【図９】
2004276958.tif 000011
【図１０】
2004276958.tif 000012